(57)【要約】【課題】表示装置の階調特性の悪化を抑制しつつ色調整を行なうことができる画像処理装置等を提供する。【解決手段】表示装置の色調整を行うための測色用画像の情報を表示装置に送信する画像データ送信部２１３と、送信された測色用画像の画像データを基に表示装置に表示された画像の色データを取得する色データ取得部２１４と、取得された色データに基づいて表示装置にて行なう色調整の設定が予め定められた階調特性を満たすか否かを判定する階調特性判定部２１５と、階調特性判定部２１５が表示装置にて行なう色調整の設定が予め定められた階調特性を満たさないと判定した場合に、表示装置にて行なう色調整の設定を変更する旨の指示を出力する変更指示出力部２１６と、を備えることを特徴とする画像処理装置。【選択図】図６
2014239342.tif 000002
【特許請求の範囲】
【請求項１】
表示装置の色調整を行うための測色用画像の情報を当該表示装置に送信する画像情報送信部と、
前記画像情報送信部により送信された前記測色用画像の情報を基に前記表示装置に表示された画像の色情報を取得する色情報取得部と、
前記色情報取得部により取得された色情報に基づいて前記表示装置にて行なう色調整の設定が予め定められた階調特性を満たすか否かを判定する階調特性判定部と、
前記階調特性判定部が前記表示装置にて行なう色調整の設定が予め定められた階調特性を満たさないと判定した場合に、当該表示装置にて行なう色調整の設定を変更する旨の指示を出力する変更指示出力部と、
を備えることを特徴とする画像処理装置。
【請求項２】
前記階調特性判定部が前記表示装置にて行なう色調整の設定が予め定められた階調特性を満たすと判定した場合に、前記色情報取得部により取得された色情報に基づいて当該表示装置で表示する画像の色の変換関係を作成する変換関係作成部をさらに備えることを特徴とする請求項１に記載の画像処理装置。
【請求項３】
前記測色用画像は、前記表示装置において使用される基準色の少なくとも１つの階調値が最大階調値であり他の基準色の階調値が０を採る第１の測色用画像と、当該基準色の階調値が全て０となる第２の測色用画像と、当該第１の測色用画像および当該第２の測色用画像の間の階調値であって当該第１の測色用画像または当該第２の測色用画像の階調値に近い階調値を採る第３の測色用画像を含むことを特徴とする請求項１または２に記載の画像処理装置。
【請求項４】
前記階調特性判定部は、前記表示装置にて行なう色調整の設定が予め定められた階調特性を満たすか否かを判定する基準を、当該表示装置にて白色画像を表示させたときの輝度に応じて変更することを特徴とする請求項１乃至３の何れか１項に記載の画像処理装置。
【請求項５】
表示装置において使用される基準色の少なくとも１つの階調値が最大階調値であり他の基準色の階調値が０を採る第１の測色用画像と、当該基準色の階調値が全て０となる第２の測色用画像と、当該第１の測色用画像および当該第２の測色用画像の間の階調値を採る第３の測色用画像を含む測色用画像の情報を当該表示装置に送信する画像情報送信部と、
前記画像情報送信部により送信された前記測色用画像の情報を基に前記表示装置に表示された画像の色情報を取得する色情報取得部と、
前記色情報取得部により取得された色情報に基づいて、前記第３の測色用画像を前記表示装置に表示したときに取得された色情報が基準範囲内であるか否かで当該表示装置の階調特性の良否を判定する階調特性判定部と、
前記階調特性判定部が、前記第３の測色用画像を前記表示装置に表示したときに取得された色情報が基準範囲内にはないと判定した場合に、当該表示装置にて行なう色調整の設定を変更する旨の指示を出力する変更指示出力部と、
を備えることを特徴とする画像処理装置。
【請求項６】
前記階調特性判定部が前記第３の測色用画像を前記表示装置に表示したときに取得された色情報が基準範囲内であると判定した場合に、前記色情報取得部により取得された色情報に基づいて当該表示装置で表示する画像の色の変換関係を作成する変換関係作成部をさらに備えることを特徴とする請求項５に記載の画像処理装置。
【請求項７】
表示装置で画像を表示するために作成された画像情報を、予め定められた変換関係を用いて色変換処理を行い当該表示装置に出力する色変換手段と、
前記色変換手段で用いられる前記変換関係を作成する変換関係作成手段と、
を備え、
前記変換関係作成手段は、
前記表示装置の色調整を行うための測色用画像の情報を当該表示装置に送信する画像情報送信部と、
前記画像情報送信部により送信された前記測色用画像の情報を基に前記表示装置に表示された画像の色情報を取得する色情報取得部と、
前記色情報取得部により取得された色情報に基づいて前記表示装置にて行なう色調整の設定が予め定められた階調特性を満たすか否かを判定する階調特性判定部と、
前記階調特性判定部が前記表示装置にて行なう色調整の設定が予め定められた階調特性を満たさないと判定した場合に、当該表示装置にて行なう色調整の設定を変更する旨の指示を出力する変更指示出力部と、
を備えることを特徴とする色調整システム。
【請求項８】
コンピュータに、
表示装置の色調整を行うための測色用画像の情報を当該表示装置に送信する機能と、
送信された前記測色用画像の情報を基に前記表示装置に表示された画像の色情報を取得する機能と、
取得された色情報に基づいて前記表示装置にて行なう色調整の設定が予め定められた階調特性を満たすか否かを判定する機能と、
前記表示装置にて行なう色調整の設定が予め定められた階調特性を満たさないと判定した場合に、当該表示装置にて行なう色調整の設定を変更する旨の指示を出力する機能と、
を実現させるプログラム。
【請求項９】
前記表示装置にて行なう色調整の設定が予め定められた階調特性を満たすと判定した場合に、取得された色情報に基づいて当該表示装置にて表示する画像の色の変換関係を作成する機能をさらに備えることを特徴とする請求項８に記載のプログラム。
【発明の詳細な説明】
【技術分野】
【０００１】
本発明は、画像処理装置、色調整システム、プログラムに関する。
【背景技術】
【０００２】
特許文献１には、ＬＣＤパネル、変換部、ＬＵＴ、モニタ通信部、光源制御部、光源を備え、変換部はＬＵＴを備え、ＬＵＴは例えばＲＧＢの３原色に対応するＬＵＴ（赤色用ＬＵＴ）、ＬＵＴ（緑色用ＬＵＴ）、ＬＵＴ（青色用ＬＵＴ）を備える液晶モニタとしての表示特性較正装置が開示されている。
また特許文献２には、必要に応じて液晶パネルの駆動電圧−透過率特性の簡易特性と、精密に近似した詳細特性とを切り替え、これを用いてガンマ補正データを算出し、ガンマ補正用ＬＵＴに書き込むデジタルガンマ補正方法が開示されている。
【先行技術文献】
【特許文献】
【０００３】
【特許文献１】特開２００５−１２８２５４号公報
【特許文献２】特開平１１−２９６１４９号公報
【発明の概要】
【発明が解決しようとする課題】
【０００４】
表示装置にて表示する画像の色調整を行う場合、表示装置の階調特性の悪化を抑制しつつ色調整を行なうことが望ましい。
【課題を解決するための手段】
【０００５】
請求項１に記載の発明は、表示装置の色調整を行うための測色用画像の情報を当該表示装置に送信する画像情報送信部と、前記画像情報送信部により送信された前記測色用画像の情報を基に前記表示装置に表示された画像の色情報を取得する色情報取得部と、前記色情報取得部により取得された色情報に基づいて前記表示装置にて行なう色調整の設定が予め定められた階調特性を満たすか否かを判定する階調特性判定部と、前記階調特性判定部が前記表示装置にて行なう色調整の設定が予め定められた階調特性を満たさないと判定した場合に、当該表示装置にて行なう色調整の設定を変更する旨の指示を出力する変更指示出力部と、を備えることを特徴とする画像処理装置である。
【０００６】
請求項２に記載の発明は、前記階調特性判定部が前記表示装置にて行なう色調整の設定が予め定められた階調特性を満たすと判定した場合に、前記色情報取得部により取得された色情報に基づいて当該表示装置で表示する画像の色の変換関係を作成する変換関係作成部をさらに備えることを特徴とする請求項１に記載の画像処理装置である。
請求項３に記載の発明は、前記測色用画像は、前記表示装置において使用される基準色の少なくとも１つの階調値が最大階調値であり他の基準色の階調値が０を採る第１の測色用画像と、当該基準色の階調値が全て０となる第２の測色用画像と、当該第１の測色用画像および当該第２の測色用画像の間の階調値であって当該第１の測色用画像または当該第２の測色用画像の階調値に近い階調値を採る第３の測色用画像を含むことを特徴とする請求項１または２に記載の画像処理装置である。
請求項４に記載の発明は、前記階調特性判定部は、前記表示装置にて行なう色調整の設定が予め定められた階調特性を満たすか否かを判定する基準を、当該表示装置にて白色画像を表示させたときの輝度に応じて変更することを特徴とする請求項１乃至３の何れか１項に記載の画像処理装置である。
【０００７】
請求項５に記載の発明は、表示装置において使用される基準色の少なくとも１つの階調値が最大階調値であり他の基準色の階調値が０を採る第１の測色用画像と、当該基準色の階調値が全て０となる第２の測色用画像と、当該第１の測色用画像および当該第２の測色用画像の間の階調値を採る第３の測色用画像を含む測色用画像の情報を当該表示装置に送信する画像情報送信部と、前記画像情報送信部により送信された前記測色用画像の情報を基に前記表示装置に表示された画像の色情報を取得する色情報取得部と、前記色情報取得部により取得された色情報に基づいて、前記第３の測色用画像を前記表示装置に表示したときに取得された色情報が基準範囲内であるか否かで当該表示装置の階調特性の良否を判定する階調特性判定部と、前記階調特性判定部が、前記第３の測色用画像を前記表示装置に表示したときに取得された色情報が基準範囲内にはないと判定した場合に、当該表示装置にて行なう色調整の設定を変更する旨の指示を出力する変更指示出力部と、を備えることを特徴とする画像処理装置である。
【０００８】
請求項６に記載の発明は、前記階調特性判定部が前記第３の測色用画像を前記表示装置に表示したときに取得された色情報が基準範囲内であると判定した場合に、前記色情報取得部により取得された色情報に基づいて当該表示装置で表示する画像の色の変換関係を作成する変換関係作成部をさらに備えることを特徴とする請求項５に記載の画像処理装置である。
【０００９】
請求項７に記載の発明は、表示装置で画像を表示するために作成された画像情報を、予め定められた変換関係を用いて色変換処理を行い当該表示装置に出力する色変換手段と、前記色変換手段で用いられる前記変換関係を作成する変換関係作成手段と、を備え、前記変換関係作成手段は、前記表示装置の色調整を行うための測色用画像の情報を当該表示装置に送信する画像情報送信部と、前記画像情報送信部により送信された前記測色用画像の情報を基に前記表示装置に表示された画像の色情報を取得する色情報取得部と、前記色情報取得部により取得された色情報に基づいて前記表示装置にて行なう色調整の設定が予め定められた階調特性を満たすか否かを判定する階調特性判定部と、前記階調特性判定部が前記表示装置にて行なう色調整の設定が予め定められた階調特性を満たさないと判定した場合に、当該表示装置にて行なう色調整の設定を変更する旨の指示を出力する変更指示出力部と、を備えることを特徴とする色調整システムである。
【００１０】
請求項８に記載の発明は、コンピュータに、表示装置の色調整を行うための測色用画像の情報を当該表示装置に送信する機能と、送信された前記測色用画像の情報を基に前記表示装置に表示された画像の色情報を取得する機能と、取得された色情報に基づいて前記表示装置にて行なう色調整の設定が予め定められた階調特性を満たすか否かを判定する機能と、前記表示装置にて行なう色調整の設定が予め定められた階調特性を満たさないと判定した場合に、当該表示装置にて行なう色調整の設定を変更する旨の指示を出力する機能と、を実現させるプログラムである。
【００１１】
請求項９に記載の発明は、前記表示装置にて行なう色調整の設定が予め定められた階調特性を満たすと判定した場合に、取得された色情報に基づいて当該表示装置にて表示する画像の色の変換関係を作成する機能をさらに備えることを特徴とする請求項８に記載のプログラムである。
【発明の効果】
【００１２】
請求項１の発明によれば、本構成を有していない場合に比較して、表示装置の階調特性の悪化を抑制しつつ色調整を行なうことができる。
請求項２の発明によれば、本構成を有していない場合に比較して、色調整の精度をより向上させることができる。
請求項３の発明によれば、本構成を有していない場合に比較して、表示装置が予め定められた階調特性を有するか否かの判定をより簡便に行なうことができる。
請求項４の発明によれば、本構成を有していない場合に比較して、表示装置の階調特性の悪化が生じやすいか否かの程度に応じて基準を変更することができる。
請求項５の発明によれば、本構成を有していない場合に比較して、表示装置の階調特性の悪化を抑制しつつ色調整を行なうことができる。
請求項６の発明によれば、本構成を有していない場合に比較して、色調整の精度をより向上させることができる。
請求項７の発明によれば、本構成を有していない場合に比較して、表示装置にて表示する画像の色調整を、より高精度に行うことができる色調整システムが提供できる。
請求項８の発明によれば、本構成を有していない場合に比較して、表表示装置の階調特性の悪化を抑制しつつ色調整を行なうことができる機能をコンピュータにより実現できる。
請求項９の発明によれば、本構成を有していない場合に比較して、色調整の精度をより向上させることができる。
【図面の簡単な説明】
【００１３】
【図１】本実施の形態の画像表示システムの構成例を示す図である。
【図２】図１に示す画像表示システムに色設定システムを取り付けた状態を説明するための図である。
【図３】（ａ）〜（ｂ）は、ハードウェア調整により色調整を行なったときの階調特性の変化について示した図である。
【図４】（ａ）〜（ｂ）は、ソフトウェア調整により色調整を行なったときの階調特性の変化について示した図である。
【図５】設定用ＰＣのハードウェア構成を示した図である。
【図６】本実施の形態の設定用ＰＣの機能構成例を説明した図である。
【図７】表示装置の階調特性を判定する方法について説明した第１の例である。
【図８】表示装置の階調特性を判定する方法について説明した第２の例である。
【図９】表示装置の階調特性を判定する方法について説明した第３の例である。
【図１０】表示装置の階調特性を判定する方法について説明した第４の例である。
【図１１】表示装置の階調特性を判定する方法について説明した第５の例である。
【図１２】表示装置の階調特性を判定する方法について説明した第６の例である。
【図１３】設定用ＰＣの動作の第１の例について説明したフローチャートである。
【図１４】設定用ＰＣの動作の第２の例について説明したフローチャートである。
【発明を実施するための形態】
【００１４】
＜画像表示システムの全体構成の説明＞
以下、添付図面を参照して、本発明の実施の形態について詳細に説明する。
図１は、本実施の形態の画像表示システム１０の構成例を示す図である。
この画像表示システム１０は、ネットワークＮに接続され、表示のための画像情報（入力画像データ）の作成等を行う表示用ＰＣ（Personal Computer）１１と、表示画面１２１に画像を表示する表示装置１２と、表示用ＰＣ１１から入力されてくる入力画像データに色変換テーブル（変換関係）を用いて色変換処理を行い、得られた画像データ（表示用の出力画像データ）を表示装置１２に出力する色変換手段の一例としての色処理装置１３とを備えている。なお、画像表示システム１０は、ネットワークＮを介して、別の画像表示システムや各種プリンタ等と接続されている。
【００１５】
この画像表示システム１０において、表示用ＰＣ１１および色処理装置１３はＤＶＩ（Digital Visual Interface）を介して接続されており、色処理装置１３および表示装置１２もＤＶＩを介して接続されている。なお、ＤＶＩに代えて、ＨＤＭＩ（High-Definition Multimedia Interface：登録商標）やDisplayPortを介して接続するようにしてもかまわない。
【００１６】
表示用ＰＣ１１は、所謂汎用のパーソナルコンピュータである。そして、表示用ＰＣ１１は、ＯＳによる管理下において、各種アプリケーションソフトウェアを動作させることで、入力画像データの作成等が行われるようになっている。
【００１７】
また、表示装置１２は、例えばＰＣ用の液晶ディスプレイ、液晶テレビあるいはプロジェクタなど、加法混色にて画像を表示する機能を備えたもので構成される。したがって、表示装置１２における表示方式は、液晶方式に限定されるものではない。なお、図１に示す例では、表示装置１２内に表示画面１２１が設けられているが、表示装置１２として例えばプロジェクタを用いる場合、表示画面１２１は、表示装置１２の外部に設けられたスクリーン等となる。
【００１８】
色処理装置１３は、出力画像データ作成部１３１と、色変換テーブル記憶部１３２とを備えている。
【００１９】
出力画像データ作成部１３１は、表示用ＰＣ１１から入力されてくる入力画像データに対し、色変換テーブル記憶部１３２から読み出した色変換テーブルを用いて色変換を施し、得られた表示用の出力画像データを表示装置１２に出力する。
【００２０】
色変換テーブル記憶部１３２は、上述した出力画像データ作成部１３１による表示用の出力画像データの作成において用いられる色変換テーブルを記憶する。ここで、色変換テーブルとしては、例えば変換用の行列（マトリックス）、１次元ＬＵＴ（Look Up Table）あるいは多次元ＬＵＴ等が挙げられるが、本実施の形態では、色変換をより精度良く行うために多次元ＬＵＴが用いられる。なお、色変換テーブル記憶部１３２は、読み書き可能であって電源を供給しなくても記憶内容を保持することが可能な不揮発性メモリ（例えばフラッシュメモリ）で構成される。
【００２１】
ここで、図１に示す画像表示システム１０は、１台の表示用ＰＣ１１に１台の色処理装置１３を介して１台の表示装置１２を接続する場合を例示しているが、これに限られるものではない。例えば、１台の色処理装置１３に複数台の表示装置１２を接続し、各表示装置１２に連続した異なる画像を表示する、所謂マルチモニタ構成とすることも可能である。
【００２２】
さて、本実施の形態の画像表示システム１０では、表示用ＰＣ１１ではなく色処理装置１３が、入力画像データに色変換処理を施すことで表示用の出力画像データを作成する。ここで、色処理装置１３における色変換処理で用いられる色変換テーブルは、例えば表示装置１２のデバイス特性と、ネットワークＮを介して接続される他の画像表示システムやプリンタ等のデバイス特性とを加味し、図１に示す画像表示システム１０および他の画像表示システムやプリンタ等での色表現を合致させるように、その作成が行われる。そして、画像表示システム１０では、画像表示システム１０に後述する色設定システムを外付けした状態で、表示装置１２のデバイス特性を加味した色変換テーブルの作成が実行される。
【００２３】
次に色処理装置１３で用いられる色変換テーブルの作成において、画像表示システム１０に取り付けられる色設定システムについて説明を行う。
図２は、図１に示す画像表示システム１０に色設定システム２０を取り付けた状態を説明するための図である。
【００２４】
本実施の形態の色設定システム２０は、画像表示システム１０の色処理装置１３に接続される設定用ＰＣ２１と、設定用ＰＣ２１に接続されるとともに画像表示システム１０の表示装置１２における表示画面１２１に表示された画像の色を測定する測色器２２とを備えている。
【００２５】
この色設定システム２０において、設定用ＰＣ２１および測色器２２は、ＵＳＢ（Universal Serial Bus）あるいはＲＳ−２３２Ｃを介して接続されている。また、色設定システム２０における設定用ＰＣ２１と画像表示システム１０における色処理装置１３とは、ＵＳＢを介して接続されている。
【００２６】
色設定システム２０において、設定用ＰＣ２１は、詳しくは後述するが所謂汎用のパーソナルコンピュータであり、例えば可搬性に優れたノート型ＰＣ等が用いられる。そして、設定用ＰＣ２１も、ＯＳによる管理下において、各種アプリケーションソフトウェアを動作させるようになっている。
【００２７】
また、測色器２２は、画像表示システム１０の表示装置１２に設けられた表示画面１２１に接触あるいは非接触に配置されることで、表示画面１２１に表示される画像の色を測定するセンサを備えている。この例において、測色器２２に設けられたセンサによる測定領域の大きさは、表示画面１２１の大きさ以下となるように設定されている。そして、測色器２２は、表示画面１２１の全領域について測色を行うのではなく、全領域のうち予め決められた一部領域について測色を行うように構成されている。
【００２８】
ここで、図２に示す色設定システム２０は、１台の設定用ＰＣ２１に１台の測色器２２を接続する場合を例示しているが、これに限られるものではない。例えば、１台の設定用ＰＣ２１に複数台の測色器２２を接続するように構成することも可能である。
【００２９】
本実施の形態では、色設定システム２０に設けられた設定用ＰＣ２１が、色変換テーブルを作成し、画像表示システム１０の色処理装置１３に設けられた色変換テーブル記憶部１３２に対し、色変換テーブルを書き込むことが可能となっている。本実施の形態において、この設定用ＰＣ２１は、色処理装置１３で用いられる色変換テーブルを作成する変換関係作成手段（画像処理装置）として捉えることができる。
【００３０】
そして、本実施の形態の画像表示システム１０は、通常は、色設定システム２０が取り付けられていない状態で、表示用ＰＣ１１が作成した入力画像データを、色処理装置１３にて色変換することで得られた表示用の出力画像データに基づく画像（表示用画像）を、表示装置１２の表示画面１２１に表示するようになっている。一方、この画像表示システム１０は、色変換テーブルの作成あるいは変更等を実行する際に、色設定システム２０が取り付けられた状態で、設定用ＰＣ２１が選択した測色用画像（色パッチ）を、表示装置１２の表示画面１２１に表示するようになっている。
【００３１】
以上説明したように、表示装置１２の色変換処理を行うために用いられる色変換テーブルを作成するためには、測色用画像を表示装置１２の表示画面１２１に表示する。そして表示された測色用画像を測色器２２を用いて測定し、測色器２２により出力された色データに基づき、設定用ＰＣ２１が色変換テーブルを作成する。この色変換テーブルは、色処理装置１３において、色変換テーブル記憶部１３２に記憶され、出力画像データ作成部１３１で色変換を行なうことにより色調整を行なうことができる。このように色変換テーブルを用いて行なう色調整を、本実施の形態では、以後、「ソフトウェア調整」と言うことがある。
【００３２】
一方、表示装置１２には、通常は色調整を行なう機能が備えられている。つまりこの色調整機能を使用することで、表示装置１２単独でも色調整を行なうことが可能である。これは、例えばユーザが、表示装置１２に備えられた「Ｍｅｎｕ」ボタンを押し、表示装置１２の表示画面１２１に表示される色調整のための項目を選択し、項目毎に表示装置１２に備えられた「＋（プラス）」ボタンや「−（マイナス）」ボタンを操作することにより行なうことができる。この色調整のための項目は、例えば、「輝度」、「コントラスト」、「ゲイン」、「オフセット」、「色温度」、「プリセットモード」などである。このように表示装置１２にて行なう色調整を、本実施の形態では、以後、「ハードウェア調整」と言うことがある。
【００３３】
このハードウェア調整を行なう際に、色調整を行なう目的によって、ユーザは、色調整のための項目の選択を行なう必要がある。例えば、表示装置１２の輝度を調整したいときは、上記項目の中で「輝度」を選択することで調整を行なうことができるが、「コントラスト」を選択することでも調整することもできる。また色温度を調整したいときは、上記項目の中で「色温度」を選択することで調整を行なうことができるが、「ゲイン」を選択することでも調整することもできる。
【００３４】
ここでハードウェア調整では、色調整後の階調特性に対する影響が比較的小さい利点を有するが、設定可能範囲が狭いとともに細かい色調整が困難であるという欠点を有する。
ただし、階調特性については、Ｒ（赤色）、Ｇ（緑色）、Ｂ（青色）の各色の入力値が０付近および最大値（例えば、８ｂｉｔ（２５６階調）の場合は、２５５）付近では、階調特性が悪化することがある。
【００３５】
図３（ａ）〜（ｂ）は、ハードウェア調整により色調整を行なったときの階調特性の変化について示した図である。図３（ａ）〜（ｂ）において、横軸は、入力値であり、本実施の形態の場合、０〜２５５の整数値を採る。また縦軸は、出力値であり、実際に表示装置１２の表示画面１２１に表示される画像の明るさを最大値を１として規格化したものである。
【００３６】
ここで図３（ａ）は、ハードウェア調整により色調整を行なう前のＲ（赤色）、Ｇ（緑色）、Ｂ（青色）の各色の階調特性を例示している。図示するようにこの場合、Ｒ（赤色）、Ｇ（緑色）、Ｂ（青色）の各色の階調特性はほぼ同様であることを示している。この階調特性を、例えば、γ（ガンマ）値を用いて表わした場合、例えばγ＝２．２となる。
【００３７】
また図３（ｂ）では、ハードウェア調整として、色温度、輝度、コントラストのそれぞれについて「上げる」設定を行なった場合と、「下げる」設定を行なった場合とで、Ｒ（赤色）、Ｇ（緑色）、Ｂ（青色）の各色の階調特性がどのように変更されるかを示した図である。なお上述の通り、色温度を調整する場合に、色調整のための項目の中で「色温度」を選択するとは限らない。またこれについては、輝度、コントラストについても同様である。
【００３８】
図３（ｂ）において、まず色温度の場合について説明すると、色温度を上げる設定をしたとき、Ｂ（青色）の階調特性は、ほぼ変化しないが、Ｒ（赤色）、Ｇ（緑色）の階調カーブは、Ｂ（青色）より図中下側に移動する。つまりＲ（赤色）、Ｇ（緑色）の階調特性を、例えば、γ（ガンマ）値として表わした場合、γ＜２．２となる。
対して色温度を下げる設定をしたとき、逆にＲ（赤色）、Ｇ（緑色）の階調特性は、ほぼ変化しないが、Ｂ（青色）の階調カーブは、Ｒ（赤色）、Ｇ（緑色）より図中下側に移動する。つまりＢ（青色）の階調特性を、例えば、γ（ガンマ）値として表わした場合、γ＜２．２となる。
このように階調カーブが下側に移動すると、入力値が小さい領域で、出力値の階調数が実質的に減少する。これにより入力値が小さい領域で、表示される画像についていわゆる階調つぶれが生じやすくなる。
【００３９】
次に輝度の場合は、輝度を上げる設定をしたとき、Ｒ（赤色）、Ｇ（緑色）、Ｂ（青色）の階調カーブは、一様に図中上側に移動する。ただし、上限が存在するため、入力値が大きい領域で、表示される画像の明るさが上限に固定される。この場合、いわゆるハイライトとびが生じやすくなる。
対して、輝度を下げる設定をしたとき、Ｒ（赤色）、Ｇ（緑色）、Ｂ（青色）の階調カーブは、一様に図中下側に移動する。この場合、入力値が小さい領域で表示される画像の明るさがほぼ０となり、いわゆる黒つぶれが生じやすくなる。
【００４０】
次にコントラストの場合は、コントラストを上げる設定をした場合、Ｒ（赤色）、Ｇ（緑色）、Ｂ（青色）の階調カーブは、入力値が小さい領域で、一様に図中上側に移動する。この場合、入力値が０付近の場合でも表示される画像は、一定の明るさを有するため、黒色の画像が表示しにくく、いわゆる黒浮きが生じやすくなる。
対して、コントラストを下げる設定をした場合、Ｒ（赤色）、Ｇ（緑色）、Ｂ（青色）の階調カーブは、入力値が小さい領域で、一様に図中下側に移動するとともに、入力値が大きい領域で、一様に図中上側に移動する。この場合、入力値が小さい領域で表示される画像の明るさがほぼ０となり、いわゆる黒つぶれが生じやすくなる。さらに入力値が大きい領域で、表示される画像の明るさが上限に固定され、いわゆるハイライトとびが生じやすくなる。
【００４１】
このようにハードウェア調整では、Ｒ（赤色）、Ｇ（緑色）、Ｂ（青色）の各色の入力値が０付近および最大値（この場合は２５５）付近で、階調特性が悪化することがある。
【００４２】
対して、ソフトウェア調整では、設定可能範囲が広いとともに細かい色調整が可能である。さらに設定変更が容易であるという利点もある。一方、白色の輝度を上げることはできず、階調特性に対する影響が大きくなりやすい。そのため表示される画像の階調数が減少することがある。
【００４３】
図４（ａ）〜（ｂ）は、ソフトウェア調整により色調整を行なったときの階調特性の変化について示した図である。
ここで図４（ａ）は、ソフトウェア調整により色調整を行なう前のＲ（赤色）、Ｇ（緑色）、Ｂ（青色）の各色の階調特性を例示しており、図３（ａ）と同様である。
【００４４】
また図４（ｂ）は、ソフトウェア調整により輝度を下げる調整を行なったときの階調特性の変化について示した図である。
図示するようにＲ（赤色）、Ｇ（緑色）、Ｂ（青色）の階調カーブは、一様に図中下側に移動する。ただしソフトウェア調整では、出力値の最大値も下げることになる。そのため表示される画像の階調数が実質的に減少する。階調数の減少はソフトウェア調整による補正幅が大きいほど大きくなる。
このように表示される画像の階調数が減少すると、画像に階調の段差が生じているように見えたり、ハイライトとびや黒つぶれが生じやすくなる。
【００４５】
以上説明したようにハードウェア調整およびソフトウェア調整には、それぞれに利点および欠点がある。よって表示装置１２の色調整をより高い精度で行なうには、ハードウェア調整およびソフトウェア調整のそれぞれについて適切な調整を行なうことが求められる。
【００４６】
ここでハードウェア調整では、上述したように、Ｒ（赤色）、Ｇ（緑色）、Ｂ（青色）の各色の入力値が０付近および最大値付近で、階調特性が悪化しやすい点が特に問題になる。そこで本実施の形態では、色変換テーブルを作成するための測色用画像（以後、「ソフトウェア調整用測色用画像」と言うことがある。）とは別に、表示装置１２の階調特性を把握するための測色用画像（以後、「ハードウェア調整用測色用画像」と言うことがある。）を用意し、これを表示装置１２に表示させる。そしてハードウェア調整を行なった後に、このハードウェア調整用測色用画像を測色器２２で測定し、その色データに基づき表示装置１２の階調特性が許容範囲内であるか否かを判定する。その結果、階調特性が許容範囲外であったときは、表示装置１２のハードウェア調整を再度行う。そして許容範囲内であることを確認後にソフトウェア調整を行なう。即ち、ソフトウェア調整用測色用画像を表示装置１２に表示させ、このソフトウェア調整用測色用画像を測色器２２で測定する。そしてその色データに基づき色変換テーブルを作成する。さらにこの色変換テーブルを用いて表示装置１２の色調整を行なう。
以下、この事項についてさらに詳しく説明を行なう。
【００４７】
＜設定用ＰＣのハードウェア構成例＞
本実施の形態において、階調特性が許容範囲内であるか否かを判定するのは、設定用ＰＣ２１である。
図５は、設定用ＰＣ２１のハードウェア構成を示した図である。
設定用ＰＣ２１は、上述したようにパーソナルコンピュータ等により実現される。そして図示するように、設定用ＰＣ２１は、演算手段であるＣＰＵ（Central Processing Unit）４１と、記憶手段であるメインメモリ４２、およびＨＤＤ（Hard Disk Drive）４３とを備える。ここで、ＣＰＵ４１は、ＯＳ（Operating System）やアプリケーションソフトウェア等の各種プログラムを実行する。また、メインメモリ４２は、各種プログラムやその実行に用いるデータ等を記憶する記憶領域であり、ＨＤＤ４３は、各種プログラムに対する入力データや各種プログラムからの出力データ等を記憶する記憶領域である。
【００４８】
さらに、設定用ＰＣ２１は、外部との通信を行うための通信インターフェース（以下、「通信Ｉ／Ｆ」と表記する）４４と、ビデオメモリやディスプレイ等からなり、画像を表示するモニタ４５と、キーボードやマウス等の入力デバイス４６とを備える。
【００４９】
＜設定用ＰＣの機能構成例＞
図６は、本実施の形態の設定用ＰＣ２１の機能構成例を説明した図である。
図示した設定用ＰＣ２１は、測色用画像の選択を行なう画像選択部２１１と、測色用画像の画像データを記憶する画像データ記憶部２１２と、測色用画像の画像データを表示装置１２に送信する画像データ送信部２１３と、測色器２２により出力された色データを取得する色データ取得部２１４と、表示装置１２の階調特性が許容範囲内であるか否かを判定する階調特性判定部２１５と、表示装置１２の階調特性が許容範囲内でない場合に表示装置１２のハードウェア調整の設定を変更する旨の指示を出力する変更指示出力部２１６と、表示装置１２の色変換処理を行うために用いられる色変換テーブルを作成する色変換テーブル作成部２１７とを備える。
【００５０】
画像選択部２１１は、表示装置１２で表示する測色用画像を選択する。この測色用画像の画像データは、画像データ記憶部２１２に記憶されており、画像選択部２１１は、選択した測色用画像の画像データを画像データ記憶部２１２から取得し、画像データ送信部２１３に送出する。
【００５１】
上述したように、画像選択部２１１において選択が行なわれ得る測色用画像は、主に２種類存在する。一方は、色変換テーブル作成部２１７で色変換テーブルを作成するために使用するソフトウェア調整用測色用画像であり、他方は、表示装置１２の階調特性を測定するためのハードウェア調整用測色用画像である。
【００５２】
画像データ送信部２１３は、画像情報送信部の一例であり、表示装置の色調整を行うための測色用画像の情報（画像データ）を表示装置１２に送信する。
【００５３】
表示装置１２では、画像データ送信部２１３により送信された測色用画像の画像データを基に測色用画像が順に表示される。表示装置１２に表示されたこれらの測色用画像は、測色器２２によりその色が読み取られる。そして測色器２２は、これらの測色用画像を読み取ることで取得した色情報（色データ）を設定用ＰＣ２１に対し、送信する。このとき測色器２２が出力する色データは、例えば、ＸＹＺ色空間におけるＸ値、Ｙ値、Ｚ値である。あるいは例えば、Ｌ＊ａ＊ｂ＊色空間におけるＬ＊値、ａ＊値、ｂ＊値となる。
【００５４】
色データ取得部２１４は、色情報取得部の一例であり、測色器２２により送信された測色用画像の色データを取得する。色データは、この色データがソフトウェア調整用測色用画像に基づき取得されたものであった場合は、色変換テーブル作成部２１７に送られ、ハードウェア調整用測色用画像に基づき取得されたものであった場合は、階調特性判定部２１５に送られる。
【００５５】
階調特性判定部２１５は、色データ取得部２１４により取得された色データに基づいて表示装置１２にて行なう色調整（ハードウェア調整）の設定が予め定められた階調特性を満たすか否かを判定する。この判定の具体的な方法は後述する。
【００５６】
変更指示出力部２１６は、階調特性判定部２１５が表示装置１２にて行なう色調整（ハードウェア調整）の設定が予め定められた階調特性を満たさないと判定した場合に、表示装置１２にて行なう色調整（ハードウェア調整）の設定を変更する旨の指示（変更指示）を出力する。
この変更指示は、例えば、ユーザに対し表示装置１２の階調特性が許容範囲内ではないことを知らせる警告、およびユーザにハードウェア調整を行なう必要があることを知らせるものであり、例えば、表示装置１２の表示画面１２１に表示される。また設定用ＰＣ２１のモニタ４５（図５参照）に表示してもよい。
【００５７】
色変換テーブル作成部２１７は、ソフトウェア調整用測色用画像に基づき色データ取得部２１４により取得された色データに基づいて表示装置１２にて表示する画像の色の色変換テーブルを作成する。
【００５８】
＜階調特性判定部における判定の方法の説明＞
次に階調特性判定部２１５において行なわれる表示装置１２の階調特性の判定の方法について説明を行なう。
本実施の形態では、表示装置１２の階調特性を把握するために、ハードウェア調整用測色用画像として少なくとも３種類の画像を用意する。具体的には、ハードウェア調整用測色用画像は、表示装置１２において使用される基準色の少なくとも１つの階調値が最大階調値であり他の基準色の階調値が０を採る第１の測色用画像と、基準色の階調値が全て０となる第２の測色用画像と、第１の測色用画像および第２の測色用画像の間の階調値であって第１の測色用画像または第２の測色用画像の階調値に近い階調値を採る第３の測色用画像の３種類を少なくとも含む。
【００５９】
ここで基準色とは、表示装置１２で画像を表示するために使用される色であり、この場合、Ｒ（赤色）、Ｇ（緑色）、Ｂ（青色）の３色である。
そして第１の測色用画像は、これらの色の組み合わせからなる飽和色であり、階調値が８ｂｉｔ（２５６階調）で表わされる場合、Ｒ（赤色）、Ｇ（緑色）、Ｂ（青色）の少なくとも１つの階調値が２５５であり、他の色の階調値は、０となる。
【００６０】
具体例を挙げると、例えば、白色を表わす（Ｒ、Ｇ、Ｂ）＝（２５５、２５５、２５５）は、第１の測色用画像として用いることができる。また、Ｒ（赤色）単色の飽和色である（Ｒ、Ｇ、Ｂ）＝（２５５、０、０）、Ｇ（緑色）単色の飽和色である（Ｒ、Ｇ、Ｂ）＝（０、２５５、０）、Ｂ（青色）単色の飽和色である（Ｒ、Ｇ、Ｂ）＝（０、０、２５５）も、第１の測色用画像として用いることができる。さらに２色の階調値が２５５で、他の１色の階調値が０である（Ｒ、Ｇ、Ｂ）＝（２５５、２５５、０）のような場合であってもよい。
【００６１】
第２の測色用画像は、基準色の階調値が全て０であるため、（Ｒ、Ｇ、Ｂ）＝（０、０、０）となり、黒色の画像となる。
【００６２】
第３の測色用画像は、第１の測色用画像に対し中間色となる。より具体的には、第１の測色用画像の階調値が２５５の色は、０と２５５の間の中間の階調値を採り、第１の測色用画像の階調値が０の色は、０の階調値を採る。さらに中間の階調値は、０または２５５に近い値となる。
【００６３】
具体例を挙げると、第１の測色用画像が白色を表わす（Ｒ、Ｇ、Ｂ）＝（２５５、２５５、２５５）であった場合は、第３の測色用画像は、例えば、（Ｒ、Ｇ、Ｂ）＝（２４０、２４０、２４０）や（Ｒ、Ｇ、Ｂ）＝（３２、３２、３２）となり、グレー色の画像となる。また、第１の測色用画像がＲ（赤色）単色の飽和色である（Ｒ、Ｇ、Ｂ）＝（２５５、０、０）であった場合は、第３の測色用画像は、例えば、（Ｒ、Ｇ、Ｂ）＝（２４０、０、０）や（Ｒ、Ｇ、Ｂ）＝（３２、０、０）となる。
【００６４】
図７は、表示装置１２の階調特性を判定する方法について説明した第１の例である。
図中横軸は、入力値としてのＲ、Ｇ、Ｂの階調値であり、縦軸は、出力値である。
本実施の形態では、第１の測色用画像として、白色を表わす（Ｒ、Ｇ、Ｂ）＝（２５５、２５５、２５５）のものを使用する。そして第２の測色用画像は、上述のように黒色を表わす（Ｒ、Ｇ、Ｂ）＝（０、０、０）のものを使用する。また図では表示装置１２の階調特性として、ハードウェア調整前の階調カーブとハードウェア調整後の階調カーブを示している。
【００６５】
このとき本実施の形態では、第３の測色用画像として、例えば、（Ｒ、Ｇ、Ｂ）＝（２４０、２４０、２４０）のものを使用したときの第１の基準値Ｋ１を設定する。そして（Ｒ、Ｇ、Ｂ）＝（２４０、２４０、２４０）のときに、この第１の基準値Ｋ１よりも色データが小さいときには、この領域において階調特性は、良好であり、許容範囲内であると判定する。また同様に第３の測色用画像として、例えば、（Ｒ、Ｇ、Ｂ）＝（３２、３２、３２）のものを使用したときの第２の基準値Ｋ２を設定する。そして（Ｒ、Ｇ、Ｂ）＝（３２、３２、３２）のときに、この第２の基準値Ｋ２よりも色データが大きいときには、この領域において階調特性は、良好であり、許容範囲内であると判定する。
【００６６】
即ち、ハードウェア調整では、上述したように、Ｒ（赤色）、Ｇ（緑色）、Ｂ（青色）の各色の入力値が０付近および最大値付近で、階調特性が悪化しやすい。そのため本実施の形態では、第３の測色用画像としてこの箇所に対応するものを設け、この第３の測色用画像を測定したときの色データと第１の基準値Ｋ１および第２の基準値Ｋ２とを比較する。そしてこれにより表示装置１２の階調特性が許容範囲内であるか否かを判定することができる。
【００６７】
この方法により図３（ｂ）で例示したハイライトとびや、黒つぶれが生じているか否かの判断ができる。つまり第３の測色用画像として、例えば、（Ｒ、Ｇ、Ｂ）＝（２４０、２４０、２４０）のものを使用したときの色データが、第１の基準値Ｋ１以上だったときは、ハイライトとびが生じている。また第３の測色用画像として、例えば、（Ｒ、Ｇ、Ｂ）＝（３２、３２、３２）のものを使用したときの色データが、第２の基準値Ｋ２以下であったときは、黒つぶれが生じている。
なお黒浮きが生じているか否かは、第２の測色用画像を測定したときの色データから判定が可能である。即ちこのときの出力値が、０からどの程度上昇しているかどうかを見ることで判定を行なうことができる。
【００６８】
図８は、表示装置１２の階調特性を判定する方法について説明した第２の例である。
本実施の形態で使用する第１の測色用画像、第２の測色用画像、第３の測色用画像については、図７で説明した場合と同様である。本実施の形態では、表示装置１２の階調特性が入るべき範囲として範囲Ｋを指定する。そして第３の測色用画像を測定したときの色データが範囲Ｋに入っているか否かで、表示装置１２の階調特性が許容範囲内であるか否かを判定する。
図８の場合は、範囲Ｋの例として、階調カーブが、１．８≦γ≦２．６の範囲を指定し、第３の測色用画像を測定したときの色データがこの範囲内にあるかどうかで表示装置１２の階調特性が許容範囲内であるか否かを判定する。
【００６９】
図９は、表示装置１２の階調特性を判定する方法について説明した第３の例である。
本実施の形態で使用する第１の測色用画像、第２の測色用画像は、図７で説明した場合と同様であるが、第３の測色用画像の階調値として、（Ｒ、Ｇ、Ｂ）＝（２４０、２４０、２４０）のものの他にさらに階調値を減少させたものを選択する。例えば、第３の測色用画像として、（Ｒ、Ｇ、Ｂ）＝（２２４、２２４、２２４）のものをさらに選択する。そして第３の測色用画像の階調値として、（Ｒ、Ｇ、Ｂ）＝（３２、３２、３２）のものの他に階調値を増加させたものを選択する。例えば、第３の測色用画像として、（Ｒ、Ｇ、Ｂ）＝（６４、６４、６４）のものをさらに選択する。そしてこれらの第３の測色用画像を測定したときの色データを順次取得する。
【００７０】
そしてそれぞれの第３の測色用画像を測定したときの色データと第１の基準値Ｋ１および第２の基準値Ｋ２とを比較する。
これにより第１の基準値Ｋ１や第２の基準値Ｋ２を満たす階調値として、どの程度の入力値を選択すればよいのかがわかる。そしてこれによりハードウェア調整前とードウェア調整後について表示装置１２の階調特性が、よい方向に調整されたのか、逆に悪い方向に調整されたのかを判断できる。例えば、ハードウェア調整前においては、入力値が、（Ｒ、Ｇ、Ｂ）＝（２４０、２４０、２４０）の場合について、色データが第１の基準値Ｋ１を満たさなかったが、（Ｒ、Ｇ、Ｂ）＝（２２４、２２４、２２４）の場合については、第１の基準値Ｋ１を満たしていたとする。このときハードウェア調整後において、両方の入力値について、第１の基準値Ｋ１を満たすものとなったときは、表示装置１２の階調特性は、よい方向に調整されたと判断することができる。一方、両方の入力値について、第１の基準値Ｋ１を満たさなくなったとすると、表示装置１２の階調特性は、悪い方向に調整されたと判断することができる。
【００７１】
なお上述した例では、説明をわかりやすくするため、第３の測色用画像として、（Ｒ、Ｇ、Ｂ）＝（２４０、２４０、２４０）や（Ｒ、Ｇ、Ｂ）＝（３２、３２、３２）の他に１つずつ選択を行なったが、２つ以上選択してもよいことはもちろんである。例えば、第３の測色用画像として、他に例えば、（Ｒ、Ｇ、Ｂ）＝（１９２、１９２、１９２）や（Ｒ、Ｇ、Ｂ）＝（９６、９６、９６）のものを選択することができる。
【００７２】
図１０は、表示装置１２の階調特性を判定する方法について説明した第４の例である。
本実施の形態では、表示装置１２の輝度に応じて、第３の測色用画像の階調値を変更する。ここで使用する輝度は、表示装置１２にて白色画像を表示させたときの輝度であり、予め測定を行なうことで取得することができる。ここでは表示装置１２の輝度が大きい場合は、第３の測色用画像の階調値が２５５に近い方のものについては、より小さくし、第３の測色用画像の階調値が０に近い方のものについては、より大きく設定する。また表示装置１２の輝度が小さい場合は、第３の測色用画像の階調値が２５５に近い方のものについては、より大きくし、第３の測色用画像の階調値が０に近い方のものについては、より小さく設定する。これは、階調特性判定部２１５は、表示装置１２にて行なう色調整の設定が予め定められた階調特性を満たすか否かを判定する基準を、表示装置１２にて白色画像を表示させたときの輝度に応じて変更する、と言い換えることもできる。
【００７３】
具体的には、表示装置１２の輝度が大きい場合は、例えば、第３の測色用画像の階調値を（Ｒ、Ｇ、Ｂ）＝（１９２、１９２、１９２）および（Ｒ、Ｇ、Ｂ）＝（９６、９６、９６）とする。また表示装置１２の輝度が中程度である場合は、例えば、第３の測色用画像の階調値を（Ｒ、Ｇ、Ｂ）＝（２２４、２２４、２２４）および（Ｒ、Ｇ、Ｂ）＝（６４、６４、６４）とする。さらに表示装置１２の輝度が小さい場合は、例えば、第３の測色用画像の階調値を（Ｒ、Ｇ、Ｂ）＝（２４０、２４０、２４０）および（Ｒ、Ｇ、Ｂ）＝（３２、３２、３２）とする。
【００７４】
以上のように第３の測色用画像を選択する場合、表示装置１２の輝度が大きいほど、表示装置１２に要求される階調特性の基準が緩やかになり、表示装置１２の輝度が小さいほど、要求される階調特性の基準が厳しくなる。表示装置１２の輝度が大きい場合、上述したハイライトとびや黒つぶれが顕在化しにくく、そのため表示装置１２に要求される階調特性の基準はより緩やかでよい。逆に表示装置１２の輝度が小さい場合、ハイライトとびや黒つぶれが顕在化しやすく、そのため表示装置１２に要求される階調特性の基準をより厳しくする必要がある。
【００７５】
図１１は、表示装置１２の階調特性を判定する方法について説明した第５の例である。
上述した例では、第１の測色用画像として、白色を表わす（Ｒ、Ｇ、Ｂ）＝（２５５、２５５、２５５）を使用したが、本実施の形態では、第１の測色用画像として、Ｒ（赤色）、Ｇ（緑色）、Ｂ（青色）のそれぞれの基準色単色の（Ｒ、Ｇ、Ｂ）＝（２５５、０、０）、（Ｒ、Ｇ、Ｂ）＝（０、２５５、０）、（Ｒ、Ｇ、Ｂ）＝（０、０、２５５）を使用する。そのため第３の測色用画像としては、（Ｒ、Ｇ、Ｂ）＝（２５５、０、０）に対しては、例えば、（Ｒ、Ｇ、Ｂ）＝（２４０、０、０）や（Ｒ、Ｇ、Ｂ）＝（３２、０、０）となる。また（Ｒ、Ｇ、Ｂ）＝（０、２５５、０）に対しては、例えば、（Ｒ、Ｇ、Ｂ）＝（０、２４０、０）や（Ｒ、Ｇ、Ｂ）＝（０、３２、０）となり、（Ｒ、Ｇ、Ｂ）＝（０、０、２５５）に対しては、例えば、（Ｒ、Ｇ、Ｂ）＝（０、０、２４０）や（Ｒ、Ｇ、Ｂ）＝（０、０、３２）となる。
【００７６】
このように本実施の形態では、Ｒ（赤色）、Ｇ（緑色）、Ｂ（青色）のそれぞれについて、第１の測色用画像および第３の測色用画像を選択し、そしてそれぞれの第３の測色用画像を測定したときの色データを基に、これら各色毎の階調特性が許容範囲内であるか否かを判定する。
図１１の例では、図８の場合と同様に表示装置１２の階調特性が入るべき範囲として範囲Ｋを、１．８≦γ≦２．６の範囲で指定し、各色の第３の測色用画像を測定したときの色データがこの範囲内であるかどうかを判定する。
この方法により、Ｒ（赤色）、Ｇ（緑色）、Ｂ（青色）のそれぞれについて、図３（ｂ）で例示した階調つぶれが生じているか否かの判断ができる。
【００７７】
図１２（ａ）〜（ｂ）は、表示装置１２の階調特性を判定する方法について説明した第６の例である。
ハードウェア調整を行なったときに、表示装置１２の階調特性が許容範囲内である場合が複数通り生じることがある。本実施の形態では、この場合、何れの階調特性を採用するかの判断方法の説明を行なう。
【００７８】
図１２（ａ）では、表示装置１２の階調特性が入るべき範囲として範囲Ｋが指定され、表示装置１２の色温度および輝度を調整するハードウェア調整の結果、この範囲Ｋに入る階調特性として、設定Ａと設定Ｂとがあることを示している。なお図１２（ａ）では、基準階調として、γ＝２．２の階調カーブも併せて図示している。
【００７９】
そして図１２（ｂ）では、設定Ａと設定Ｂとで色温度が、それぞれ５５００Ｋと６０００Ｋとなり、目標色温度６５００Ｋに対する差分である色温度差分がそれぞれ１０００Ｋと５００Ｋであったことを示している。さらに図１２（ｂ）では、設定Ａと設定Ｂのそれぞれの階調カーブと基準階調との差分である階調差分が、それぞれ０．２と０．４であったことを示している。
【００８０】
このとき色温度差分および階調差分について、それぞれ色温度ウエイトおよび階調ウエイトを設定する。そして色温度差分に対し色温度ウエイトを乗算するとともに階調差分に対し階調ウエイトを乗算した結果を、それぞれ色温度スコアおよび階調スコアとして算出する。図１２（ｂ）の例では、色温度ウエイトは、１／１００であり、階調ウエイトは、１００と設定されている。その結果、設定Ａの色温度スコアは１０、階調スコアは２０となる。また設定Ｂの色温度スコアは５、階調スコアは４０となる。
【００８１】
そして色温度スコアと階調スコアの合計を合計スコアとし、この合計スコアが小さい方の設定を採用する。図１２（ｂ）の例では、設定Ａの合計スコアは、３０であり、設定Ｂの合計スコアは、４５となるため、設定Ａを採用することに決定する。
なおこの例では、階調ウエイトを大きく設定し、色温度よりも階調特性を重視した選択を行なっている。ただし、色温度ウエイトおよび階調ウエイトを調整することで、何れを重視するかについて容易に変更が可能である。
【００８２】
以上のように階調特性判定部２１５は、色データ取得部２１４により取得された色データに基づいて、第３の測色用画像を表示装置１２に表示したときに取得された色データが基準範囲内であるか否かで表示装置１２の階調特性の良否を判定する。
そして階調特性判定部２１５が、第３の測色用画像を表示装置１２に表示したときに取得された色データが基準範囲内にはないと判定した場合には、変更指示出力部２１６が、表示装置１２にて行なう色調整の設定を変更する旨の指示を出力する。
また階調特性判定部２１５が、第３の測色用画像を表示装置１２に表示したときに取得された色データが基準範囲内であると判定した場合には、ソフトウェア調整用測色用画像に基づき色データ取得部２１４により取得された色データに基づいて、色変換テーブル作成部２１７が、表示装置１２で表示する画像の色の色変換テーブルを作成する。
【００８３】
＜設定用ＰＣの動作の説明＞
図１３は、設定用ＰＣ２１の動作の第１の例について説明したフローチャートである。
以下、図６および図１３を使用して設定用ＰＣ２１の動作について説明を行なう。
まず画像選択部２１１が、ハードウェア調整用測色用画像を選択する（ステップ１０１）。次に画像選択部２１１は、画像データ記憶部２１２から該当するハードウェア調整用測色用画像の画像データを取得する（ステップ１０２）。このハードウェア調整用測色用画像は、上述のように第１の測色用画像、第２の測色用画像、および第３の測色用画像の３種類を含む。
【００８４】
次に画像データ送信部２１３が、画像選択部２１１で選択されたハードウェア調整用測色用画像の画像データを表示装置１２に送信する（ステップ１０３）。
このハードウェア調整用測色用画像は、表示装置１２の表示画面１２１に表示され、測色器２２により色データが取得される。さらに取得された色データは、設定用ＰＣ２１に送信される。
設定用ＰＣ２１では、色データ取得部２１４が、送信された色データを取得する（ステップ１０４）。これによりまずハードウェア調整前の表示装置１２の階調特性が取得できる。
【００８５】
次にユーザによりハードウェア調整が行なわれる。そしてユーザによるハードウェア調整後、画像データ送信部２１３は、ハードウェア調整用測色用画像の画像データを再び表示装置１２に送信する（ステップ１０５）。このハードウェア調整用測色用画像は、表示装置１２の表示画面１２１に再び表示され、測色器２２により色データが取得される。そして色データ取得部２１４が、この色データを取得する（ステップ１０６）。これによりハードウェア調整後の表示装置１２の階調特性が取得される。
【００８６】
そして階調特性判定部２１５は、上述した方法により表示装置１２の階調特性が許容範囲内であるか否かを判定する（ステップ１０７）。このとき階調特性判定部２１５が、表示装置１２の階調特性が許容範囲内でないと判定した場合（ステップ１０７でＮｏ）、変更指示出力部２１６は、ハードウェア調整の変更を行なう旨の変更指示を出力する（ステップ１０８）。この指示は、上述のように表示装置１２の表示画面１２１や、設定用ＰＣ２１のモニタ４５（図５参照）に表示される。そしてユーザは、この指示に従い、再びハードウェア調整を行う。即ち、ステップ１０５に戻る。
【００８７】
一方、階調特性判定部２１５が、表示装置１２の階調特性が許容範囲内（基準範囲内）であると判定した場合（ステップ１０７でＹｅｓ）、画像選択部２１１が、ソフトウェア調整用測色用画像を選択する。（ステップ１０９）。そして画像データ記憶部２１２から該当するソフトウェア調整用測色用画像の画像データを取得する（ステップ１１０）。
【００８８】
次に画像データ送信部２１３が、画像選択部２１１で選択されたソフトウェア調整用測色用画像の画像データを表示装置１２に送信する（ステップ１１１）。
このソフトウェア調整用測色用画像は、表示装置１２の表示画面１２１に表示され、測色器２２により色データが取得される。さらに色データ取得部２１４が、この色データを取得する（ステップ１１２）。
【００８９】
そして色データ取得部２１４が取得した色データに基づき、色変換テーブル作成部２１７が、表示装置１２の色変換処理を行うために用いられる色変換テーブルを作成する（ステップ１１３）。作成された色変換テーブルのデータは、色変換テーブル作成部２１７から出力され、色処理装置１３の色変換テーブル記憶部１３２（図１参照）に格納される。
【００９０】
また図１４は、設定用ＰＣ２１の動作の第２の例について説明したフローチャートである。
ここでは図６および図１４を使用して設定用ＰＣ２１の動作について説明を行なう。
図１４において、ステップ２０１〜ステップ２０４の処理は、図１３のステップ１０１〜ステップ１０４の処理と同様であるため、説明を省略する。
【００９１】
本実施の形態では、次にユーザによる第１のハードウェア調整が行なわれる。この第１のハードウェア調整は、例えは、表示装置１２の輝度の調整である。
【００９２】
次のステップ２０５〜ステップ２０８の処理は、図１３のステップ１０５〜ステップ１０８の処理と同様である。
【００９３】
本実施の形態では、階調特性判定部２１５が、表示装置１２の階調特性が許容範囲内であると判定した場合（ステップ２０７でＹｅｓ）、ユーザによる第２のハードウェア調整が行なわれる。この第２のハードウェア調整は、例えは、表示装置１２の色温度の調整である。
【００９４】
またステップ２０９〜ステップ２１２の処理は、ステップ２０５〜ステップ２０８と同様である。
【００９５】
そして本実施の形態では、階調特性判定部２１５が、再び表示装置１２の階調特性が許容範囲内であると判定した場合（ステップ２１１でＹｅｓ）、さらにユーザによる第１のハードウェア調整が行なわれる。つまり例えば、表示装置１２の輝度の調整がもう一度行なわれる。
【００９６】
次のステップ２１３〜ステップ２１６の処理は、ステップ２０５〜ステップ２０８と同様である。
【００９７】
そして階調特性判定部２１５が、表示装置１２の階調特性が許容範囲内であると判定した場合（ステップ２１５でＹｅｓ）、ここで画像選択部２１１が、ソフトウェア調整用測色用画像を選択する（ステップ２１７）。
【００９８】
以後、ステップ２１８〜ステップ２２１は、ステップ１１０〜ステップ１１３と同様である。
【００９９】
図１４の例によれば、第１のハードウェア調整と第２のハードウェア調整を行なった後に、再び第１のハードウェア調整を行なう。これによりハードウェア調整をより高精度に行なうことができる。
【０１００】
なお以上詳述した例では、第３の測色用画像は、例えば、階調値が（Ｒ、Ｇ、Ｂ）＝（２４０、２４０、２４０）や（Ｒ、Ｇ、Ｂ）＝（３２、３２、３２）のように２つ以上用意されていたが、これに限られるものではなく、何れか一方でもよい場合もある。例えば、色温度を調整する場合は、階調つぶれは生じうるが、ハイライトとびは生じにくいため、（Ｒ、Ｇ、Ｂ）＝（２４０、２４０、２４０）の方を、測定する必要性は少ない。そのため第３の測色用画像として、（Ｒ、Ｇ、Ｂ）＝（３２、３２、３２）の方を測定すれば足りる。
【０１０１】
また以上詳述した例では、ハードウェア調整を行なった後、ソフトウェア調整を行ない、これにより最終的な色変換テーブルを作成していたが、これに限られるものではない。例えば、ハードウェア調整を行なう前と後でそれぞれ仮の色変換テーブルを作成し、そこで実質的な階調減少が生じているか否かを調べてもよい。
【０１０２】
＜色調整システムの説明＞
上述した色処理装置１３および設定用ＰＣ２１は、表示装置１２で画像を表示するために作成された入力画像データを、予め定められた色変換テーブルを用いて色変換処理を行い表示装置１２に出力する色処理装置１３と、色処理装置１３で用いられる色変換テーブルを作成する設定用ＰＣ２１と、を備え、設定用ＰＣ２１は、表示装置１２の色調整を行うための測色用画像の画像データを表示装置１２に送信する画像データ送信部２１３と、画像データ送信部２１３により送信された測色用画像の画像データを基に表示装置１２に表示された画像の色データを取得する色データ取得部２１４と、色データ取得部２１４により取得された色データに基づいて表示装置１２にて行なう色調整の設定が予め定められた階調特性を満たすか否かを判定する階調特性判定部２１５と、階調特性判定部２１５が表示装置１２にて行なう色調整の設定が予め定められた階調特性を満たさないと判定した場合に、表示装置１２にて行なう色調整の設定を変更する旨の指示を出力する変更指示出力部２１６と、を備えることを特徴とする色調整システムとしても捉えることができる。
また表示装置１２をさらに加え、表示装置１２、色処理装置１３および設定用ＰＣ２１とで色調整システムを構成すると捉えることもできる。
【０１０３】
＜プログラムの説明＞
ここで以上説明を行った本実施の形態における設定用ＰＣ２１が行なう処理は、上述した通り、例えば、アプリケーションソフトウェア等のプログラムとして用意される。
【０１０４】
よって設定用ＰＣ２１が行なう処理は、コンピュータに、表示装置１２の色調整を行うための測色用画像の画像データを表示装置１２に送信する機能と、送信された測色用画像の画像データを基に表示装置１２に表示された画像の色データを取得する機能と、取得された色データに基づいて表示装置１２にて行なう色調整の設定が予め定められた階調特性を満たすか否かを判定する機能と、表示装置１２にて行なう色調整の設定が予め定められた階調特性を満たさないと判定した場合に、表示装置１２にて行なう色調整の設定を変更する旨の指示を出力する機能と、を実現させるプログラムとして捉えることもできる。
【０１０５】
またこのとき設定用ＰＣ２１が行なう処理は、表示装置１２にて行なう色調整の設定が予め定められた階調特性を満たすと判定した場合に、取得された色データに基づいて表示装置１２にて表示する画像の色の色変換テーブルを作成する機能をさらに備えると捉えることもできる。
【０１０６】
なお、本実施の形態を実現するプログラムは、通信手段により提供することはもちろん、ＣＤ−ＲＯＭ等の記録媒体に格納して提供することも可能である。
【０１０７】
以上、本実施の形態について説明したが、本発明の技術的範囲は上記実施の形態に記載の範囲には限定されない。上記実施の形態に、種々の変更または改良を加えたものも、本発明の技術的範囲に含まれることは、特許請求の範囲の記載から明らかである。
【符号の説明】
【０１０８】
１０…画像表示システム、１１…表示用ＰＣ、１２…表示装置、１３…色処理装置、２０…色設定システム、２１…設定用ＰＣ、２２…測色器、２１１…画像選択部、２１２…画像データ記憶部、２１３…画像データ送信部、２１４…色データ取得部、２１５…階調特性判定部、２１６…変更指示出力部、２１７…色変換テーブル作成部
【図１】
2014239342.tif 000003
【図２】
2014239342.tif 000004
【図３】
2014239342.tif 000005
【図４】
2014239342.tif 000006
【図５】
2014239342.tif 000007
【図６】
2014239342.tif 000008
【図７】
2014239342.tif 000009
【図８】
2014239342.tif 000010
【図９】
2014239342.tif 000011
【図１０】
2014239342.tif 000012
【図１１】
2014239342.tif 000013
【図１２】
2014239342.tif 000014
【図１３】
2014239342.tif 000015
【図１４】
2014239342.tif 000016